(57)【要約】      （修正有）【課題】複数のデータ供給源からのデータが混在して出力されるのを防止する。【解決手段】複数のコネクタ１１〜１４と、コネクタ１１〜１４を支持する支持体２０と、コネクタ１１〜１４に対応する接続窓３１Ａ〜３１Ｄを有する前面板３１を備える枠体３０とを備え、前面板３１に沿ってスライド自在に支持され、スライド操作することで、並列したコネクタ１１，１２の一方に対応する接続窓３１Ａと他方に対応する接続窓３１Ｂを選択的に開放又は遮蔽する遮蔽板４０を備えるコネクタユニット１を提供する。【選択図】図１
2016192257.tif 000002
【特許請求の範囲】
【請求項１】
複数のコネクタと、
前記コネクタを支持する支持体と、
前記コネクタに対応する接続窓を有する前面板を備える枠体とを備え、
前記前面板に沿ってスライド自在に支持され、スライド操作することで、並列した前記コネクタの一方に対応する接続窓と他方に対応する接続窓を選択的に開放又は遮蔽する遮蔽板を備えることを特徴とするコネクタユニット。
【請求項２】
並列した前記コネクタの一方がＵＳＢコネクタであり、他方がネットワークコネクタであることを特徴とする請求項１記載のコネクタユニット。
【請求項３】
前記コネクタの一部又は全部は、回路基板に実装されて前記支持体に支持されていることを特徴とする請求項１又は２記載のコネクタユニット。
【請求項４】
請求項１〜３のいずれか1項に記載のコネクタユニットを備えた印画装置。
【発明の詳細な説明】
【技術分野】
【０００１】
本発明は、印画装置などの電子機器が備えるコネクタユニット及びこれを備える印画装置に関する。
【背景技術】
【０００２】
従来、印画装置などの電子機器は、コンピュータなどのデータ供給源とケーブルを介して接続するためのコネクタを備えている。このコネクタは、複数の規格が知られており、ＵＳＢ（Universal Serial Bus）ケーブルを介してコンピュータなどの接続インターフェイスと接続するためのＵＳＢコネクタや、ネットワークを介してコンピュータなどの接続インターフェイスと接続するためのネットワーク（ＬＡＮ）コネクタなどがある（下記特許文献１参照）。
【先行技術文献】
【特許文献】
【０００３】
【特許文献１】特開２０１０−１３４８２７号公報
【発明の概要】
【発明が解決しようとする課題】
【０００４】
印画装置などの電子機器は、ＵＳＢコネクタとネットワークコネクタを並べて配置しているものがある。規格の異なるコネクタは、接続口の形状が異なるので、異なる規格のコネクタが並べて配置されていたとしても、規格外のケーブル端子がコネクタに接続されることは通常ありえない。
【０００５】
これに対して、ＵＳＢコネクタとネットワークコネクタにそれぞれ対応規格のケーブルが接続されており、異なるデータ供給源からそれぞれのコネクタを介して印画装置などの電子機器にデータが入力される場合、印画装置などの電子機器側では、コネクタ毎に入力回路が独立して設けられており、入力されたデータは、それぞれの入力回路を介してＲＡＭ領域などに蓄積されることになる。ここで、印画装置などの電子機器側でデータを選択して出力する機能を持たない場合には、蓄積されたデータの時系列順にデータが出力され、そのデータによって印画等の処理がなされる場合がある。
【０００６】
この際、カード等の被処理媒体に予め個別情報が記録されており、その個別情報に対応した印画等の処理を行おうとすると、異なるデータ供給源からのデータが混在して蓄積されてしまうと、被処理媒体に予め記録されている個別情報に合致しないデータで印画等の処理がなされてしまうことがあり、このような処理がなされてしまうと、予め個別情報が記録されている貴重な被処理媒体が無駄になってしまう問題があった。また、この問題は、異なる規格のコネクタが並べて配置されている場合だけで無く、同一規格のコネクタが並べて配置されている場合にも同様に発生し得る。
【０００７】
本発明は、このような問題に対処することを課題の一例とするものである。すなわち、印画装置などの電子機器において、複数のデータ供給源からのデータが混在して出力されるのを防止すること、予め個別情報が記録されている被処理媒体に対して、その個別情報に対応した印画等の処理を行う場合に、個別情報と印画等の処理が合致しない状況を避けること、などが本発明の目的である。
【課題を解決するための手段】
【０００８】
このような目的を達成するために、本発明によるコネクタユニットは、以下の構成を具備するものである。
複数のコネクタと、前記コネクタを支持する支持体と、前記コネクタに対応する接続窓を有する前面板を備える枠体とを備え、前記前面板に沿ってスライド自在に支持され、スライド操作することで、並列した前記コネクタの一方に対応する接続窓と他方に対応する接続窓を選択的に開放又は遮蔽する遮蔽板を備えることを特徴とするコネクタユニット。
【発明の効果】
【０００９】
このような特徴を有する本発明のコネクタユニットは、並列したコネクタの一方に対応する接続窓と他方に対応する接続窓を選択的に開放又は遮蔽する遮蔽板を備えるので、一方のコネクタの接続窓が開放されているときには、他方のコネクタの接続窓が遮蔽され、一方のコネクタの接続窓が遮蔽されているときには、他方のコネクタの接続窓が開放されている。これによって、並列したコネクタの両方にケーブルが接続されて複数の異なるデータ供給源からのデータが入力されるのを避けることができ、印画装置などの電子機器において、複数のデータ供給源からのデータが混在して出力されるのを防止することができる。
【００１０】
そして、このようなコネクタユニットを備える印画装置は、予め個別情報が記録されている被処理媒体に対して、その個別情報に対応した印画処理を行う場合に、個別情報と印画処理が合致しない状況を避けることができる。
【図面の簡単な説明】
【００１１】
【図１】本発明の実施形態に係るコネクタユニットを示す説明図（（ａ）が全体斜視図、（ｂ）が枠体を取り除いた状態の斜視図）を示している。
【図２】本発明の実施形態に係るコネクタユニットの分解斜視図を示した説明図である。
【図３】本発明の実施形態に係るコネクタユニットの正面図（（ａ）がコネクタの一方を遮蔽した状態を示し、（ｂ）がコネクタの他方を遮蔽した状態を示している。）を示している。
【図４】本発明の実施形態に係るコネクタユニットを備える印画装置（レーザーマーカ）を示した説明図である。
【発明を実施するための形態】
【００１２】
以下、図面を参照して本発明の実施形態を説明する。図１〜３に示すように、本発明の実施形態に係るコネクタユニット１は、複数のコネクタ１１，１２，１３，１４を備えている。これらのコネクタ１１〜１４は、並列した状態で配置されており、図示の例では、コネクタ１１がネットワークコネクタであり、コネクタ１２がＵＳＢコネクタであり、コネクタ１３，１４が付属コネクタ（オプションユニットなどを接続するためのＵＳＢコネクタ）である。
【００１３】
複数のコネクタ１１〜１４は、支持体２０によって支持されている。この支持体２０は、コネクタ１１を単独で支持する支持枠２１や、コネクタ１２〜１４（コネクタ１１〜１４の一部又は全部）が実装された回路基板２２を支持する支持部材２３などで構成される。
【００１４】
また、コネクタユニット１は、前述した支持体２０のベースとなる枠体３０を備えている。前述した支持枠２１はネジ２１Ａによって枠体３０に取り付けられており、回路基板２２は支持部材２３であるネジ２３Ａで枠体３０に取り付けられている。
【００１５】
枠体３０が、コネクタ１１〜１４の前面に配置される前面板３１を備えている。前面板３１は枠体３０と一体であっても、別体であってもよい。前面板３１は、各々のコネクタ１１〜１４に対応する接続窓３１Ａ，３１Ｂ，３１Ｃ，３１Ｄを有している。接続窓３１Ａ〜３１Ｄは、コネクタ１１〜１４の接続口に臨む開口であり、接続窓３１Ａ〜３１Ｄが開放されている場合には、この接続窓３１Ａ〜３１Ｄを通してコネクタ１１〜１４にケーブルの端子が接続される。
【００１６】
そして、コネクタユニット１は、この前面板３１に沿ってスライド自在に支持される遮蔽板４０を備えている。この遮蔽板４０は、スライド操作することで、並列したコネクタ１１，１２の一方に対応する接続窓３１Ａと他方に対応する接続窓３１Ｂを選択的に開放又は遮蔽する。図示の例では、遮蔽板４０には、操作突起４１が前面板３１に設けた長孔３２を通してネジ３２Ａで取り付けられており、操作突起４１を長孔３２の長手方向に沿って摺動操作することで、遮蔽板４０が前面板３１に沿ってスライドするようになっている。この遮蔽板４０は、枠体３０の上面に設けられる長孔３３，３４を通してもネジ３３Ａ，３４Ａによって枠体３０に摺動自在に支持されている。
【００１７】
また、図示の例では、遮蔽板４０には位置決め凹部４０Ｐが設けられ、その位置決め凹部４０Ｐに、弾性係合具４２が係合するようになっており、その弾性係合具４２の基端部は枠体３０にネジ４２Ａで固定されている。なお、ここで示した遮蔽板４０などの取り付け構造などは一例であって、他の構成に変更できることは言うまでも無い。
【００１８】
遮蔽板４０は、前面板３１に沿ってスライド操作することで、図３（ａ）に示すように、コネクタ１１に対応する接続窓３１Ａを遮蔽して、コネクタ１２に対応する接続窓３１Ｂを開放する状態と、図３（ｂ）に示すように、コネクタ１２に対応する接続窓３１Ｂを遮蔽して、コネクタ１１に対応する接続窓３１Ａを開放する状態とを切り替えることができる。
【００１９】
この遮蔽板４０のスライド操作は、コネクタ１１とコネクタ１２の両方にケーブルが接続されることを避けるためのものであり、使用者は、遮蔽板４０をいずれかの方向にスライド操作して、コネクタ１１の接続窓３１Ａとコネクタ１２の接続窓３１Ｂのいずれかを開放させ、コネクタ１１とコネクタ１２の片方にケーブルを接続することができる。
【００２０】
図４は、コネクタユニット１を備えた電子機器の一例として、印画装置２を示している。印画装置（例えば、レーザーマーカ）２は、レーザ光源２Ａや照射光学系２Ｂを備えるヘッド部２Ｃと、被処理媒体（カードなど）Ｗを搬送して印画位置に供給する搬送供給部２Ｄを備えている。
【００２１】
印画装置２は、コネクタユニット１を備え、コネクタユニット１のコネクタ１１，１２を介して、データ供給源であるコンピュータＰＣ１，ＰＣ２，ＰＣ３，…からのデータ（印画データ）を入力できるようになっており、入力されたデータに基づいて、被処理媒体Ｗに対して印画処理を行う。この際、被処理媒体Ｗには予め個別情報が記録されており、その個別情報に対応したデータ（印画データ）が入力されるようになっている。
【００２２】
ここで、印画装置２のコネクタユニット１は、遮蔽板４０のスライド操作によって、コネクタ１１，１２の片側のみが接続可能になっているので、図示のように、コネクタ１２を接続可能にして、ＵＳＢケーブル３を介して、コンピュータＰＣ１から出力されるデータを選択して入力させることができる。この際、ＬＡＮケーブル４は、コネクタユニット１に接続することができないので、ネットワーク５とＬＡＮケーブル４を経由して、選択していないコンピュータＰＣ２，ＰＣ３から出力されるデータが割り込んで入力してくるのを避けることができる。
【００２３】
このようなコネクタユニット１を備える印画装置２は、予め個別情報が記録されている被処理媒体Ｗに対して、その個別情報に対応した印画処理を行う場合に、個別情報と印画処理が合致しない状況を避けることができる。
【符号の説明】
【００２４】
１：コネクタユニット，
１１〜１４：コネクタ，
２０：支持体，２１：支持枠，２１Ａ：ネジ，
２２：回路基板，２３：支持部材，２３Ａ：ネジ，
３０：枠体，３１：前面板，３１Ａ〜３１Ｄ：接続窓，
３２，３３，３４：長孔，３２Ａ，３３Ａ，３４Ａ：ネジ，
４０：遮蔽板，４０Ｐ：位置決め凹部，４１：操作突起，
４２：弾性係合具，４２Ａ：ネジ，
２：印画装置，
２Ａ：レーザ光源，２Ｂ：照射光学系，２Ｃ：ヘッド部，２Ｄ：搬送供給部，
３：ＵＳＢケーブル，４：ＬＡＮケーブル
Ｗ：被処理媒体，
【図１】
2016192257.tif 000003
【図２】
2016192257.tif 000004
【図３】
2016192257.tif 000005
【図４】
2016192257.tif 000006